(57)【要約】【課題】インピーダンス特性および軸比特性が良好であり且つロープロファイルの円偏波アンテナを提供する。【解決手段】円偏波アンテナ１は、２個の導体素子９１０，９２０とグラウンド板９５０と周波数選択構造１８０を含む。２個の導体素子９１０，９２０のそれぞれは、所与の長方形の周に倣っており且つ１個のギャップ９１０ａ，９２０ａを介して互いに対向している二つの端部のペアを持つ帯状の形状を有する。２個の導体素子９１０，９２０は、同じ平面Ｐ１に配置されており所与の対称点に関して点対称である。グラウンド板９５０は、平面Ｐ１と平行であって平面Ｐ１と異なる平面Ｐ２に配置されている。周波数選択構造１８０は、平面Ｐ１と平面Ｐ２との間に配置されている。【選択図】図２
2020141281.tif 000002
【特許請求の範囲】
【請求項１】
２個の導体素子と、
グラウンド板と、
周波数選択構造と
を含み、
前記２個の導体素子のそれぞれは、所定の大きさを持つ長方形の周に倣っており、且つ、１個のギャップを介して互いに対向している二つの端部のペアを持つ帯状の形状を有しており、
前記２個の導体素子は、同じ平面に配置されており、予め定められた対称点に関して点対称であり、
前記グラウンド板は、前記２個の導体素子を内部に含む最小の長方形の面積よりも大きい面積を持ち、前記平面と平行であって前記平面と異なる平面に配置されており、且つ、前記２個の導体素子を正視したときに、前記２個の導体素子とオーバーラップしており、
前記周波数選択構造は、前記２個の導体素子が配置されている前記平面と前記グラウンド板が配置されている前記平面との間に配置されており、
前記２個の導体素子のそれぞれは互いに対向する部位で給電される
円偏波アンテナ。
【発明の詳細な説明】
【技術分野】
【０００１】
本発明は、良好なインピーダンス特性および軸比特性を持ち且つロープロファイル（low-profile）の円偏波アンテナに関する。
【背景技術】
【０００２】
非特許文献１に、良好なインピーダンス特性と軸比特性を持つ円偏波アンテナ９００（図１参照）が開示されている。
【０００３】
円偏波アンテナ９００は、２個の導体素子９１０，９２０とグラウンド板９５０を含む。以下、２個の導体素子９１０，９２０の一方を第１導体素子９１０と呼称し、他方を第２導体素子９２０と呼称する。
【０００４】
第１導体素子９１０は、所定の大きさを持つ長方形の周に倣っており、且つ、１個のギャップ９１０ａを介して互いに対向している二つの端部を持つ帯状の形状を有する。同様に、第２導体素子９２０は、この長方形の周に倣っており、且つ、１個のギャップ９２０ａを介して互いに対向している二つの端部を持つ帯状の形状を有する。
【０００５】
２個の導体素子９１０，９２０は、同じ平面Ｐ１に配置されており、予め定められた対称点に関して点対称である。
【０００６】
グラウンド板９５０は、２個の導体素子９１０，９２０を内部に含む最小の長方形の面積よりも大きい面積を持ち、平面Ｐ１と平行であって平面Ｐ１と異なる平面Ｐ２に配置されており、且つ、２個の導体素子９１０，９２０を正視したときに、２個の導体素子９１０，９２０とオーバーラップしている。
【０００７】
円偏波アンテナ９００において、２個の導体素子９１０，９２０のそれぞれは互いに対向する部位で給電される。
【先行技術文献】
【非特許文献】
【０００８】
【非特許文献１】M. Sumi, K. Hirasawa, and S. Shi, “Two rectangular loops fed in series for broadband circular polarization and impedance matching,” Antennas and Propagation, IEEE Transactions on, vol. 52, no. 2, pp. 551-554, 2004.
【発明の概要】
【発明が解決しようとする課題】
【０００９】
円偏波アンテナ９００は、良好なインピーダンス特性と軸比特性を持つ。また、円偏波アンテナ９００は、グラウンド板９５０によって天頂方向の円偏波特性を向上させている。しかし、円偏波アンテナ９００は、円偏波アンテナ９００の周波数帯域の中心周波数に対応する波長の約1/4の高さ（つまり、平面Ｐ１と平面Ｐ２との距離）を持つ。
【００１０】
そこで本発明は、インピーダンス特性および軸比特性が良好であり且つロープロファイルの円偏波アンテナを提供することを目的とする。
【課題を解決するための手段】
【００１１】
本発明の円偏波アンテナは、２個の導体素子と、グラウンド板と、周波数選択構造を含む。２個の導体素子のそれぞれは、所定の大きさを持つ長方形の周に倣っており、且つ、１個のギャップを介して互いに対向している二つの端部のペアを持つ帯状の形状を有している。２個の導体素子は、同じ平面Ｐ１に配置されており、予め定められた対称点に関して点対称である。グラウンド板は、２個の導体素子を内部に含む最小の長方形の面積よりも大きい面積を持ち、平面Ｐ１と平行であって平面Ｐ１と異なる平面Ｐ２に配置されており、且つ、２個の導体素子を正視したときに、２個の導体素子とオーバーラップしている。周波数選択構造は、平面Ｐ１と平面Ｐ２との間に配置されている。２個の導体素子のそれぞれは互いに対向する部位で給電される。
【発明の効果】
【００１２】
本発明の円偏波アンテナによると、詳しくは後述するが、良好なインピーダンス特性および軸比特性に加えてロープロファイルの構成も実現する。
【図面の簡単な説明】
【００１３】
【図１】非特許文献１に開示されている円偏波アンテナ。（ａ）平面図。（ｂ）側面図。
【図２】実施形態の円偏波アンテナ。（ａ）平面図。（ｂ）側面図。
【図３】ギャップの一例を説明する拡大図。
【図４】実施例の円偏波アンテナ。（ａ）平面図。（ｂ）側面図。
【図５】実施例の円偏波アンテナのVSWR周波数特性。
【図６】実施例の円偏波アンテナの軸比周波数特性。
【図７】実施例の円偏波アンテナの放射パターン。
【図８】変形例の円偏波アンテナ。（ａ）平面図。（ｂ）側面図。
【図９】変形例の円偏波アンテナ。（ａ）平面図。（ｂ）側面図。
【発明を実施するための形態】
【００１４】
図面を参照して本発明の実施形態を説明する。なお、図は実施形態等の理解のためのものであり、図示される各構成要素の寸法あるいは縮尺は必ずしも正確ではないことがある。
【００１５】
実施形態の円偏波アンテナ１は、簡単に述べれば、円偏波アンテナ９００に周波数選択構造１８０を付加した構成を持つ。具体的には、図２に示すように、円偏波アンテナ１は、第１導体素子９１０と、第２導体素子９２０と、第３導体素子９３０と、グラウンド板９５０と、周波数選択構造１８０を含む。
【００１６】
＜第１導体素子＞
第１導体素子９１０は、所定の大きさを持つ長方形の周に倣って屈曲されている帯状の形状を有している（図２参照）。この帯状の第１導体素子９１０の全長、つまり、第１導体素子９１０の一端からその他端までの第１導体素子９１０に沿った長さは予め定められた長さＬである。長方形の周長は長さＬよりも少し長い。このため、第１導体素子９１０の両端部はギャップ９１０ａを介して互いに対向している。「対向」とは、図２に示すように同一直線上で両端部が向かい合う場合のみならず、例えば、図３に示すように、長方形の角部にギャップ９１０ａが位置するような屈曲形状を第１導体素子９１０が持つことで第１導体素子９１０の両端部が直交して向かい合う場合も含まれる。なお、長方形には正方形も含まれる。
【００１７】
図２に示す円偏波アンテナ１では、第１導体素子９１０の線路幅（つまり、帯状導体素子の幅であり、さらに換言すれば、第１導体素子９１０の一端からその他端に向かう方向と直交する方向の長さである）は一定である。しかし、インピーダンス整合の観点から、第１導体素子９１０は部分的に異なる線路幅を持っていてもよく、例えば、第１導体素子９１０の一部分の線路幅がその他の部分の線路幅よりも広く、あるいは、狭くてもよい。具体例として、第１導体素子９１０は、第１導体素子９１０の両端部のそれぞれの線路幅が等しく且つその他の部分の線路幅よりも広いステップインピーダンス線路構造を持っていてもよい。このような第１導体素子９１０の形状を異なる観点から説明すると、第１導体素子９１０は、長方形の周に沿って所定の線路幅を持つ長方形ループをギャップ９１０ａを持つように切断して得られる帯状の形状を有している。
【００１８】
＜第２導体素子＞
第２導体素子９２０は、第１導体素子９１０と同じ大きさおよび同じ形状を持つ。したがって、第２導体素子９２０については、第１導体素子９１０の説明を、第１導体素子１２０を第２導体素子９２０に、ギャップ９１０ａをギャップ９２０ａに、それぞれ読み替えて、ここに適用する。
【００１９】
＜２個の導体素子の配置＞
円偏波アンテナ１では、第１導体素子９１０と第２導体素子９２０は、互いに接触することなく、同じ平面Ｐ１に配置されている（図２参照）。
【００２０】
２個の導体素子９１０，９２０の平面Ｐ１上での位置関係は、
（１）２個の導体素子９１０，９２０は平面Ｐ１上の予め定められた対称点に関して点対称である、
（２）第１導体素子９１０のうち長方形の一辺に倣った部位９１０ｐは、第２導体素子９２０のうち長方形の一辺に倣った部位９２０ｐと平行に対向している、
という各条件を満たす。
【００２１】
条件（１）は、「第２導体素子９２０は、平面Ｐ１上で平行移動し且つ平面Ｐ１の法線周りに１８０°回転した第１導体素子９１０と一致することができる」と言い換えてもい。
【００２２】
条件（２）について、好ましくは、第１導体素子９１０の部位９１０ｐは第１導体素子９１０のうち長方形の長辺に倣った部位であり、第２導体素子９２０の部位９２０ｐは第２導体素子９２０のうち長方形の長辺に倣った部位である。
【００２３】
上述の部位９１０ｐを対向部位９１０ｐと呼称し、上述の部位９２０ｐを対向部位９２０ｐと呼称すると、２個の導体素子９１０，９２０の平面Ｐ１上での位置関係は、さらに好ましくは、
（３）第１導体素子９１０の両端部（言い換えれば、ギャップ９１０ａ）は、対向部位９１０ｐと対向する第１導体素子９１０の部位９１０ｑに位置しており、第２導体素子９２０の両端部（言い換えれば、ギャップ９２０ａ）は、対向部位９２０ｐと対向する第２導体素子９２０の部位９２０ｑに位置している、
を満たす。
【００２４】
円偏波アンテナ１では、２個の導体素子９１０，９２０は、対称点を通る帯状の第３導体素子９３０によって最短距離でつながれている。第３導体素子９３０も平面Ｐ１に配置されている。円偏波アンテナ１では、第１導体素子９１０と第２導体素子９２０と第３導体素子９３０のそれぞれは同じ材料（例えば金属）で一体に形成されている。このように、第１導体素子９１０と第２導体素子９２０と第３導体素子９３０で構成されるアンテナ素子は点対称の形状を持つ。
【００２５】
＜グラウンド板＞
円偏波アンテナ１では、導電性を持つ矩形平板状のグラウンド板９５０は、平面Ｐ１と平行であって平面Ｐ１と異なる平面Ｐ２に配置されている。
【００２６】
円偏波アンテナ１では、グラウンド板９５０は、少なくとも第１導体素子９１０と第２導体素子９２０を内部に含む最小の長方形（以下、最小長方形と呼称する）の面積よりも大きい面積を持つ。円偏波アンテナ１を正視したときに（つまり、図２の紙面手前から円偏波アンテナ１を見たとき）、グラウンド板９５０は少なくとも第１導体素子９１０と第２導体素子９２０とオーバーラップする。さらに好ましくは、円偏波アンテナ１を正視したときに、対称点（最小長方形の中心と言ってもよい）とグラウンド板９５０の幾何学的中心（例えば、グラウンド板９５０が円板であれば円の中心が「グラウンド板９５０の幾何学的中心」であり、グラウンド板９５０が正方形平板であれば正方形の対角線が交わる位置が「グラウンド板９５０の幾何学的中心」である）とが一致する。
【００２７】
＜周波数選択構造＞
周波数選択構造１８０は、平面Ｐ１（平面Ｐ２と言ってもよい）と平行であって平面Ｐ１と平面Ｐ２との間に位置する平面Ｐ３に配置されている。
【００２８】
周波数選択構造１８０は、ＦＳＳ(Frequency Selective Surface)とも呼ばれる空間フィルタであり、同じ形状を持つ多数の共振素子１８１が同じ平面Ｐ３に配置された２次元周期構造である。周波数選択構造１８０は二つのタイプに分類され、一方のタイプ（パッチタイプ）では共振素子１８１は例えば金属導体などの有体物であり、他方のタイプ（ホールタイプ）では共振素子１８１は例えば金属平板に形成された貫通孔などの無体物である。共振素子１８１の形状と大きさ、共振素子１８１の数、共振素子１８１の配置パターンなどは、設計要求や円偏波アンテナの使用目的などを考慮して適宜に設定される。共振素子１８１の形状として、矩形、矩形ループ、矩形スロット、円、リング、リングスロット、格子、十字などを例示できる。
【００２９】
＜積層構造＞
上述したとおり、２個の導体素子９１０，９２０は平面Ｐ１に配置されており、グラウンド板９５０は平面Ｐ２に配置されており、周波数選択構造１８０は平面Ｐ１と平面Ｐ２の間に位置する平面Ｐ３に配置されている（図２参照）。平面Ｐ１と平面Ｐ２と平面Ｐ３は互いに平行である。
【００３０】
円偏波アンテナ１において、２個の導体素子９１０，９２０とグラウンド板９５０と周波数選択構造１８０の位置関係を保持するための構造に限定は無く、一例として、グラウンド板９５０の上に平板状の第１の誘電体（例えば発泡プラスチック）を置き、第１の誘電体の上に周波数選択構造１８０を置き、周波数選択構造１８０の上に平板状の第２の誘電体（例えば発泡プラスチック）を置き、第２の誘電体の上に２個の導体素子９１０，９２０を置く構造を採用できる。
【００３１】
特に、周波数選択構造１８０が上述のホールタイプの構造であるとき、共振素子１８１（貫通孔）が形成されている金属平板をグラウンド板９５０に固定された複数の小さな絶縁体スペーサで支持する構成を採用でき、この場合、グラウンド板９５０と周波数選択構造１８０との間に十分な広さの自由空間を確保できる。また、後述する給電構成に応じて、やはり、周波数選択構造１８０と２個の導体素子９１０，９２０との間に十分な広さの自由空間を確保できる。また、周波数選択構造１８０が上述のパッチタイプの構造であるとき、各共振素子１８１をグラウンド板９５０に固定された絶縁体スペーサで個別に支持する構成を採用できる。
【００３２】
＜給電＞
円偏波アンテナ１では、第３導体素子９３０の中央（つまり、対称点）が給電部であり、したがって、第１導体素子９１０は対向部位９１０ｐ（具体的には、第３導体素子９３０が接続する対向部位９１０ｐ上の部位であり、対向部位９１０ｐの中央部である）で給電され、第２導体素子９２０は対向部位９２０ｐ（具体的には、第３導体素子９３０が接続する対向部位９２０ｐ上の部位であり、対向部位９２０ｐの中央部である）で給電される。給電部に給電するための構成に特段の限定はなく、従来構成を採用することができる。例えば、図示しないものの、グラウンド板９５０に形成された貫通孔に同軸ケーブルを挿通し、同軸ケーブルの内導体が第３導体素子９３０に接続し、同軸ケーブルの外導体がグラウンド板９５０に接続する構成を採用することができる。この場合、同軸ケーブルの内導体と周波数選択構造１８０との絶縁が保たれていなければならない。また、２個の導体素子９１０，９２０が同軸ケーブルの内導体によって支持されるので、第２の誘電体が不要であり、周波数選択構造１８０と２個の導体素子９１０，９２０との間に十分な広さの自由空間を確保できる。
【００３３】
＜補記＞
第１導体素子９１０と第２導体素子９２０と第３導体素子９３０のそれぞれの材質（電気伝導率など）、厚さ、線路幅、また、ギャップ９１０ａ，９２０ａのそれぞれの長さ、さらに、長さＬなどは、設計要求や円偏波アンテナの使用目的などを考慮して適宜に設定される。グラウンド板９５０の構造、材質（電気伝導率など）、形状、大きさ、厚さなどは、設計要求や円偏波アンテナの使用目的などを考慮して適宜に設定される。
【００３４】
＜実施例＞
ＧＮＳＳ（Global Navigation Satellite System）のバンドＬ１（1.5GHz帯；中心周波数ｆ0＝1.575GHz）で設計した本発明の実施例を図４に示す。図４に示す実施例の円偏波アンテナは次のような仕様を持つ。なお、記号および採寸については、図４中の寸法線を参照のこと。λ0は中心周波数ｆ0に対応する波長である。周波数選択構造は４９個の共振素子を持ち、４９個の共振素子は全て矩形ループの金属導体である。λBPは周波数選択構造の帯域通過周波数（註：ホールタイプの周波数選択構造は帯域通過フィルタとして動作する）ｆBPに対応する波長である。この実施例ではｆBP＝1.77GHzである。
長方形の周長＝長さＬ＋ギャップの長さ：2(a+b)＝1.45λ0（276.2mm）
長方形のアスペクト比：a/b＝0.5
ギャップの長さ：Δs＝0.0295λ0（5.6mm）
第１導体素子の線路幅＝第２導体素子の線路幅：d＝0.01λ0（2mm）
第３導体素子が接続している第１導体素子の部位からギャップまでの距離：s＝0.787λ0（149.8mm）
第１導体素子と第２導体素子との間隔：w＝0.05λ0（10mm）
平面Ｐ１と平面Ｐ２との間隔：h＝0.10λ0（19.0mm）
平面Ｐ３と平面Ｐ２との間隔：hfss＝0.062λ0（11.8mm）
グランド板のサイズ：W×H＝308mm×308mm
共振素子のサイズ：g2×g2＝0.25λBP×0.25λBP（42.3mm×42.3mm）
共振素子のパターンサイズ：g1×g1＝0.26λBP×0.26λBP（44.0mm×44.0mm）
共振素子のライン幅：e＝0.056λBP（9.5mm）
【００３５】
比較例としてＧＮＳＳのバンドＬ１（中心周波数ｆ0＝1.575GHz）で設計した従来の円偏波アンテナ９００の仕様は次のとおりである。
長方形の周長＝長さＬ＋ギャップの長さ：2(a+b)＝1.45λ0（276.2mm）
長方形のアスペクト比：a/b＝0.5
ギャップの長さ：Δs＝0.0295λ0（5.6mm）
第１導体素子の線路幅＝第２導体素子の線路幅：d＝0.01λ0（2mm）
第３導体素子が接続している第１導体素子の部位からギャップまでの距離：s＝0.787λ0（149.8mm）
第１導体素子と第２導体素子との間隔：w＝0.05λ0（10mm）
平面Ｐ１と平面Ｐ２との間隔：h＝0.26λ0（49.5mm）
グランド板のサイズ：W×H＝600mm×600mm
【００３６】
図５は実施例の円偏波アンテナと比較例の円偏波アンテナのそれぞれのVSWR周波数特性を示す。図５から、1.5GHz帯（中心周波数1.575GHz）において良好なインピーダンス整合（VSWR<=2）が得られていることがわかる。
【００３７】
図６は実施例の円偏波アンテナと比較例の円偏波アンテナのそれぞれの軸比周波数特性を示す。図６から、1.5GHz帯（中心周波数1.575GHz）において良好な軸比特性（AR<=3dB）が得られていることがわかる。
【００３８】
図７は実施例の円偏波アンテナと比較例の円偏波アンテナのそれぞれの放射パターンを示す。図７から、1.5GHz帯（中心周波数1.575GHz）において、天頂方向においてゲインが最大となる良好な右旋円偏波が得られていることがわかる。また、実施例の円偏波アンテナの最大利得は、比較例の円偏波アンテナの最大利得と比較して約2dB高い。
【００３９】
実施形態と実施例から明らかなように、本発明の円偏波アンテナによると、良好なインピーダンス特性および軸比特性に加えて、平面Ｐ１と平面Ｐ２との距離が円偏波アンテナの周波数帯域の中心周波数に対応する波長の約1/4から約1/10に低減しておりロープロファイルの構成も実現し、さらにグラウンド板のサイズが約1/4に小型化した構成も実現することがわかる。
【００４０】
＜変形例＞
この他、本発明は上述の実施形態や実施例に限定されるものではなく、本発明の趣旨を逸脱しない範囲で適宜変更が可能である。
【００４１】
図２に示す構成を持つ円偏波アンテナ１は右旋円偏波の送受信を行うことができるが、２個のギャップの位置の変更によって、左旋円偏波の送受信を行うことができる円偏波アンテナ２（図８参照）を実現できる。先に述べたとおり第１導体素子９１０と第２導体素子９２０と第３導体素子９３０で構成されるアンテナ素子は２次元点対称の形状を持つので、対称点を通る二つの対称軸が存在する。円偏波アンテナ１のアンテナ素子の２個のギャップ９１０ａ，９２０ａと円偏波アンテナ２のアンテナ素子の２個のギャップ９１０ｂ，９２０ｂは、対向部位と直交する対称軸ＳＡに関して線対称である。
【００４２】
また、アイソレーションの大きいスイッチ（例えばMEMSスイッチ）を使用することによって、右旋円偏波と左旋円偏波を切り換えることもできる。この具体的な一例として、図９に示す円偏波アンテナ３のように、右旋円偏波を得られる２個のギャップ９１０ａ，９２０ａの位置に加えて、対称軸ＳＡに関して２個のギャップ９１０ａ，９２０ａの位置と線対称の２個の位置にもギャップ９１０ｂ，９２０ｂを設け（つまり、２個の導体素子のそれぞれにおいて、１個のギャップを介して互いに対向している二つの端部のペアが二つ存在する）、これら４個のギャップ９１０ａ，９２０ａ，９１０ｂ，９２０ｂのそれぞれにアイソレーションの大きいスイッチ３１１，３１２，３１３，３１４を設置する。図９に示す例では、スイッチ３１１，３１２，３１３，３１４が設置される各ギャップのサイズは同じである。図９では図示していないが、各スイッチにはスイッチのONとOFFを切り換え制御するための回路等が接続されている。右旋円偏波を得られる２個のギャップの位置に設置されたスイッチ３１１，３１２をOFF（オープン）とし、残りのスイッチ３１３，３１４をON（クローズ）とすることによって、右旋円偏波の送受信が実現し、右旋円偏波を得られる２個のギャップの位置に設置されたスイッチ３１１，３１２をON（クローズ）とし、残りのスイッチ３１３，３１４をOFF（オープン）とすることによって、左旋円偏波の送受信が実現する。
【００４３】
円偏波アンテナ３では、動作周波数帯を変更せず右旋円偏波と左旋円偏波との切り換えが可能な構成を持っている。しかし、このような構成に限定されるものではない。スイッチが設置されるギャップの位置とサイズを適切に定めることによって、動作周波数帯のみの変更が可能な構成の円偏波アンテナを実現することもできるし、動作周波数帯の変更と右旋円偏波と左旋円偏波との切り換えの両方が可能な構成の円偏波アンテナを実現することもできる。
【００４４】
＜補遺＞
明細書と特許請求の範囲では、「接続された」という用語とこのあらゆる語形変形は、２又はそれ以上の要素間の直接的又は間接的な接続を意味し、互いに「接続」された２つの要素の間に１又はそれ以上の中間要素が存在することを含むことができる。要素と要素との接続は、物理的接続であっても、論理的接続であっても、或いはこれらの組み合わせであってもよい。明細書と特許請求の範囲で使用する場合、２つの要素は、１又はそれ以上の電線、ケーブルおよび／またはプリント電気接続を使用することによって、並びにいくつかの非限定的かつ非包括的な例として、無線周波数領域、マイクロ波領域及び光（可視及び不可視の両方）領域の波長を有する電磁エネルギーなどの電磁エネルギーを使用することによって、互いに「接続」されると考えることができる。
【００４５】
明細書と特許請求の範囲では、序数詞（例えば、接頭辞「第」に漢数詞または算用数字を組み合わせた「第○」）は、特段の断りが無い限り、助数詞の定義にもかかわらず、序数詞で修飾されるまたは助数詞と結合する要素を当該要素の順序または当該要素の量で限定することを意図しない。助数詞の使用は、特段の断りが無い限り、単に、２つ以上の要素を互いに区別する便利な表現方法として使用される。したがって、例えば語句「第１のＸ」と語句「第２のＸ」は、２つのＸを区別するための表現であり、Ｘの総数が２であることを意味するものでは必ずしもなく、あるいは、第１のＸが第２のＸに先行しなければならないことを意味するものでは必ずしもない。
【００４６】
明細書と特許請求の範囲では、用語「含む」とその語形変化は非排他的表現として使用されている。例えば、「ＸはＡとＢを含む」という文は、ＸがＡとＢ以外の構成要素（例えばＣ）を含むことを否定しない。また、明細書と特許請求の範囲において或る文が用語「含む」またはその語形変化が否定辞と結合した語句を含む場合、当該文は用語「含む」またはその語形変化の目的語について言及するだけである。したがって、例えば「ＸはＡとＢを含まない」という文は、ＸがＡとＢ以外の構成要素を含む可能性を認めている。さらに、明細書あるいは特許請求の範囲において使用されている用語「または」は排他的論理和ではないことが意図される。
【００４７】
以上、本発明の実施形態について説明したが、本発明はこれらの実施形態に限定されるものではない。本発明の要旨を逸脱しない範囲において種々の変更と変形が許される。選択され且つ説明された実施形態は、本発明の原理およびその実際的応用を解説するためのものである。本発明は様々な変更あるいは変形を伴って様々な実施形態として使用され、様々な変更あるいは変形は期待される用途に応じて決定される。そのような変更および変形のすべては、添付の特許請求の範囲によって規定される本発明の範囲に含まれることが意図されており、公平、適法および公正に与えられる広さに従って解釈される場合、同じ保護が与えられることが意図されている。
【図１】
2020141281.tif 000003
【図２】
2020141281.tif 000004
【図３】
2020141281.tif 000005
【図４】
2020141281.tif 000006
【図５】
2020141281.tif 000007
【図６】
2020141281.tif 000008
【図７】
2020141281.tif 000009
【図８】
2020141281.tif 000010
【図９】
2020141281.tif 000011